(57)【要約】【課題】  多様な抽象的表現が可能であり、しかも輸送コストを削減できる金属製美術工芸品の提供。【解決手段】  金属製の複数の略Ｃ字形ないし略Ｓ字形のパーツ１ａ，１ｂ，１ｃ，１ｄ，１ｅ，１ｆ，１ｇを組み合わせて構成され、パーツ同士が接合・分離可能であることを特徴とする。【選択図】      図１
2017213791.tif 000002
【特許請求の範囲】
【請求項１】
金属製の複数の略Ｃ字形ないし略Ｓ字形のパーツを組み合わせて構成され、パーツ同士が接合・分離可能であることを特徴とする金属製美術工芸品。
【請求項２】
金属製の台を備え、略Ｃ字形ないし略Ｓ字形のパーツが台に接合・分離可能であることを特徴とする請求項１記載の金属製美術工芸品。
【請求項３】
略Ｃ字形ないし略Ｓ字形のパーツに接合部がそれぞれ設けてあり、互いのパーツの接合部にボルトを通してナット掛けすることで、パーツ同士を接合・分離可能としたことを特徴とする請求項１又は２記載の金属製美術工芸品。
【請求項４】
略Ｃ字形ないし略Ｓ字形のパーツが、他のパーツとの接合箇所を支点に向きを変更できることを特徴とする請求項１，２又は３記載の金属製美術工芸品。
【発明の詳細な説明】
【技術分野】
【０００１】
本発明は、金属製の美術工芸品に関する。
【背景技術】
【０００２】
従来の金属製の美術工芸品として代表的なものにブロンズ像がある。ブロンズ像は、仏像、裸婦像などの肖像が大半であり、目新しさが乏しく、現代人のライフスタイルや感性にそぐわないものとなっている。またブロンズ像は、鋳造により一体成形されるため、輸送する際にコンパクトに梱包することができず、海外に輸送しようとすると膨大な輸送コストがかかる。
【発明の概要】
【発明が解決しようとする課題】
【０００３】
本発明は以上に述べた実情に鑑み、多様な抽象的表現が可能であり、しかも輸送コストを削減できる金属製美術工芸品の提供を目的とする。
【課題を解決するための手段】
【０００４】
上記の課題を達成するために請求項１記載の発明による金属製美術工芸品は、金属製の複数の略Ｃ字形ないし略Ｓ字形のパーツを組み合わせて構成され、パーツ同士が接合・分離可能であることを特徴とする。
【０００５】
請求項２記載の発明による金属製美術工芸品は、請求項１記載の発明の構成に加え、金属製の台を備え、略Ｃ字形ないし略Ｓ字形のパーツが台に接合・分離可能であることを特徴とする。
【０００６】
請求項３記載の発明による金属製美術工芸品は、略Ｃ字形ないし略Ｓ字形のパーツに接合部がそれぞれ設けてあり、互いのパーツの接合部にボルトを通してナット掛けすることで、パーツ同士を接合・分離可能としたことを特徴とする。
【０００７】
請求項４記載の発明による金属製美術工芸品は、請求項１，２又は３記載の発明の構成に加え、略Ｃ字形ないし略Ｓ字形のパーツが、他のパーツとの接合箇所を支点に向きを変更できることを特徴とする。
【発明の効果】
【０００８】
請求項１記載の発明による金属製美術工芸品は、金属製の複数の略Ｃ字形ないし略Ｓ字形のパーツを組み合わせることで、多様な抽象的表現が可能である。また、パーツ同士が接合・分離可能であるため、輸送する際にはパーツごとにばらしてコンパクトにでき、輸送コストを削減できる。
【０００９】
請求項２記載の発明による金属製美術工芸品は、金属製の台を備えているので、どこにでも簡単に展示することができる。しかも、略Ｃ字形ないし略Ｓ字形のパーツが台に接合・分離可能であるため、輸送する際には台を分離できるので、輸送がしやすい。
【００１０】
請求項３記載の発明による金属製美術工芸品は、略Ｃ字形ないし略Ｓ字形のパーツに接合部がそれぞれ設けてあり、互いのパーツの接合部にボルトを通してナット掛けすることで、パーツ同士を接合・分離可能としたので、分解及び組立が誰にでも簡単に短時間で行える。また、ボルトやナットを締め付けることで、パーツ同士を強固に固定できる。
【００１１】
請求項４記載の発明による金属製美術工芸品は、略Ｃ字形ないし略Ｓ字形のパーツが、他のパーツとの接合箇所を支点に向きを変更できるため、パーツの向きを適宜変えることによって、より多彩な表現が可能で、見るものを飽きさせない。
【図面の簡単な説明】
【００１２】
【図１】本発明に係る金属製美術工芸品の一実施形態を示す斜視図である。
【図２】同金属製美術工芸品のパーツ同士の接合箇所を拡大して示す斜視図である。
【図３】同金属製美術工芸品のパーツと台との接合箇所を拡大して示す斜視図である。
【図４】（ａ）は略Ｃ字形のパーツを製作するときの部品ごとに分離した状態を示す分解斜視図であり、（ｂ）は略Ｓ字形のパーツを製作するときの部品ごとに分離した状態を示す分解斜視図である。
【図５】本発明に係る金属製美術工芸品の他の実施形態を示す斜視図である。
【図６】本発明に係る金属製美術工芸品のさらに別の実施形態を示す斜視図である。
【図７】同金属製美術工芸品のパーツ同士の接合箇所を拡大して示す正面図である。
【図８】同金属製美術工芸品の開閉状態を示す平面図である。
【発明を実施するための形態】
【００１３】
以下、本発明の実施の形態を図面に基づいて説明する。図１は、本発明に係る金属製美術工芸品の一実施形態を示している。本金属製美術工芸品は、二つの略Ｓ字形のパーツ１ａ，１ｂと、一つの略Ｃ字形のパーツ１ｃとを組み合わせて構成され、また、このように三つのパーツ１ａ，１ｂ，１ｃを組み合わせたものを起立して展示しておくための台２とを備えている。本金属製美術工芸品は、略Ｓ字形のパーツ１ａ，１ｂと略Ｃ字形のパーツ１ｃを適宜組み合わせることで、作者の色々な思いや概念を表現する、新しいジャンルのアートである。本美術工芸品は、高さが１〜２ｍほどある。
【００１４】
各パーツ１ａ，１ｂ，１ｃは、金属の鋳物で中空状に形成してあり、表面には星や太陽などを象った多数の穴６が形成してある。このように、パーツ１ａ，１ｂ，１ｃに多数の穴６を開けることで、芸術性を一層高めると共に、軽量化を図ることができる。
略Ｃ字形のパーツ１ｃは、図４（ａ）に示すように、パーツ１ｃを長手方向に沿って半分の厚みに分割する分割面７ａと、パーツ１ｃを長手方向に分割する分割面７ｂとで分割した４つの部品８ａ，８ｂ，８ｃ，８ｄを鋳造により形成し、これらの部品を溶接することにより製作している。なお、図では省略してあるが、各部品８ａ，８ｂ，８ｃ，８ｄを鋳造する時点で各部品に穴６を形成しておく。
略Ｓ字形のパーツは、図４（ｂ）に示すように、上述の４つの部品８ａ，８ｂ，８ｃ，８ｄの内の先端部側の左右の部品８ｃ，８ｄを中間部で分割面７ｃでさらに分割し、長手方向の分割面７ｂ，７ｃで曲がり方が逆になるようにして各部品８ａ，８ｂ，８ｃ，８ｄ，８ｅ，８ｆを接合することで製作している。この方式によれば、同一の部品から略Ｃ字形のパーツ１ｃと略Ｓ字形のパーツ１ａ，１ｂのどちらでも簡単に製作できる。
【００１５】
各パーツ１ａ，１ｂ，１ｃには、表面の適所に接合部３，３，…が複数設けてある。接合部３，３，…は、金属製の筒体を１〜２ｃｍ程度の長さに切断し、その外周面をパーツ１ａ，１ｂ，１ｃの表面に当接し溶接して設けている。そして、パーツ１ａ，１ｂ，１ｃ同士は、図２に示すように、互いの接合部３，３にボルト４を通し、接合部３から突き出たボルト４のネジ部にナット５を掛けて締付けることで、パーツ１ａ，１ｂ，１ｃ同士を接合している。したがって、ボルト４及びナット５を外すことで、パーツ１ａ，１ｂ，１ｃごとに分離することができ、再び組み立てるのも容易である。各パーツ１ａ，１ｂ，１ｃには、図２に示すように、違った組み方をするときのために、接合部３が余分に設けてある。
図１中の左側上部に位置する略Ｓ字形のパーツ１ｂは、２箇所の接合箇所Ａ，Ｂで他のパーツ１ａ，１ｃと接合されているが、両接合箇所Ａ，Ｂのボルト４の中心軸は一直線上に位置しており、よって両接合箇所Ａ，Ｂのボルト４又はナット５を緩めることで、図中の矢印９に示すように、同パーツ１ｂは接合箇所Ａ，Ｂを支点として向きを変えることができる。
パーツ１ａと台２も、図３に示すように、パーツ１ａと台２にそれぞれ設けた接合部３，３にボルト４を通し、接合部３から突き出たボルト４のネジ部にナット５を掛けて締付けることで、パーツ１ａと台２を接合しており、ボルト４及びナット５を外せば、パーツ１ａと台２を分離できる。
【００１６】
図５は、本発明に係る金属製美術工芸品の他の実施形態を示している。この金属製美術工芸品は、一つの略Ｓ字形のパーツ１ｄと、２つの略Ｃ字形のパーツ１ｅ，１ｆを組み合わせてあり、また、これらを起立して展示しておくための金属製の台２を備えている。パーツ１ｄ，１ｅ，１ｆ同士、パーツ１ｄ，１ｅと台２とは、先に説明した実施形態と同様に、互いの接合部３，３にボルト４を通しナット掛けすることで、接合・分離可能に取付けてある。上部のＣ字形のパーツ１ｆは、図中の矢印９に示すように、パーツ１ｄとの接合箇所を支点に向きを変えられるようになっている。
【００１７】
図６は、本発明に係る金属製美術工芸品のさらに別の実施形態を示している。この金属製美術工芸品は、テーブル脚として用いることができるものである。この金属製美術工芸品は、一対の略Ｃ字形のパーツ１ｇ，１ｇを蝶番１０で連結して構成してある。蝶番１０は、図７に示すように、各パーツ１ｇ，１ｇに円筒状の接合部３，３，３をそれぞれ溶接して取付け、接合部３，３，３に上方からピン１１を挿通し、ピン１１の先端部に止め輪１２を取付けてピン１１を抜け止めしてある。
本金属製美術工芸品は、止め輪１２を外してピン１１を抜き取ることで、パーツ１ｇ，１ｇごとに分離することができる。また、図８に示すように、蝶番１０を支点として２つのパーツ１ｇ，１ｇの間の角度を０°から約９０°の範囲で調整できるため、使用しないときには２つのパーツ１ｇ，１ｇがほぼくっついた状態とすることで、パーツ１ｇ，１ｇごとに分離しなくても狭いスペースに収納できる。
【００１８】
以上に述べたように本金属製美術工芸品は、金属製の複数の略Ｃ字形ないし略Ｓ字形のパーツ１ａ，１ｂ，１ｃ，１ｄ，１ｅ，１ｆ，１ｇを組み合わせることで、多様な抽象的表現が可能である。自然界にあるものは全て曲線の組合せによってできており、このように略Ｃ字形ないし略Ｓ字形のパーツ１ａ，１ｂ，１ｃ，１ｄ，１ｅ，１ｆ，１ｇを適宜組み合わせることで、人の心に強く訴えかけるような優れたアート作品を生み出すことができる。大きさや形の異なるパーツ１ａ，１ｂ，１ｃ，１ｄ，１ｅ，１ｆ，１ｇを何種類か準備しておき、それらのパーツ１ａ，１ｂ，１ｃ，１ｄ，１ｅ，１ｆ，１ｇを自由に組み合わせることで、無現の表現が可能であり、また、このような標準化されたパーツ１ａ，１ｂ，１ｃ，１ｄ，１ｅ，１ｆ，１ｇの組合せは、多品種少量の逸品作を可能にする。
また、本金属製美術工芸品は、パーツ１ａ，１ｂ，１ｃ，１ｄ，１ｅ，１ｆ，１ｇ同士が接合・分離可能であるため、輸送する際にはパーツ１ａ，１ｂ，１ｃ，１ｄ，１ｅ，１ｆ，１ｇごとにばらしてコンパクトにすることができ、輸送コストを削減できる。
さらに、本金属製美術工芸品は、金属製の台２を備えているので、どこにでも簡単に展示することができる。しかも、略Ｃ字形ないし略Ｓ字形のパーツ１ａ，１ｂ，１ｃ，１ｄ，１ｅ，１ｆが台２に接合・分離可能であるため、輸送する際には台２を分離できるので、輸送がしやすい。
また、本金属製美術工芸品は、略Ｃ字形ないし略Ｓ字形のパーツ１ａ，１ｂ，１ｃ，１ｄ，１ｅ，１ｆ，１ｇに接合部３，３，…がそれぞれ設けてあり、接合部３，３にボルト４を通してナット掛けしたり、ピン１１を通したりすることで、パーツ１ａ，１ｂ，１ｃ，１ｄ，１ｅ，１ｆ，１ｇ同士を接合・分離可能としたので、分解及び組立が誰にでも簡単に短時間で行える。接合部３，３にボルト４を通してナット掛けした場合には、ボルト４やナット５を締め付けることで、パーツ１ａ，１ｂ，１ｃ，１ｄ，１ｅ，１ｆ同士を強固に固定できる。
さらに、本金属製美術工芸品は、略Ｃ字形ないし略Ｓ字形のパーツ１ｂ，１ｆ，１ｇが、他のパーツとの接合箇所を支点に向きを変更できるため、パーツ１ｂ，１ｆ，１ｇの向きを適宜変えることによって、より多彩な表現が可能で、見るものを飽きさせない。また、パーツ１ｂ，１ｆ，１ｇの向きを変えることで、輸送したりする際に省スペース化を図ることもできる。
【００１９】
本発明は以上に述べた実施形態に限定されない。略Ｃ字形ないし略Ｓ字形のパーツの大きさ、形状、材質、個数等は、適宜変更することができる。パーツ同士の連結部、パーツと台との連結部の構造は、繰り返し接合・分離できる構造となっていればよく、ボルト・ナットを使用したものに限定されない。略Ｃ字形ないし略Ｓ字形のパーツをどのようにして作るかは任意であり、必ずしも長手方向に沿って半分の厚みに分割したものを溶接して作る必要はなく、中空状の形のままで鋳造することもできる。
【符号の説明】
【００２０】
１ａ，１ｂ，１ｃ，１ｄ，１ｅ，１ｆ，１ｇ  パーツ
２  台
３  接合部
４  ボルト
５  ナット
【図１】
2017213791.tif 000003
【図２】
2017213791.tif 000004
【図３】
2017213791.tif 000005
【図４】
2017213791.tif 000006
【図５】
2017213791.tif 000007
【図６】
2017213791.tif 000008
【図７】
2017213791.tif 000009
【図８】
2017213791.tif 000010